(57)【要約】【課題】製品に調整工程で設定する暫定調整値の精度を向上させて、製品がエラーとなるのを抑制する調整工程前に設定する暫定調整値の選出方法、及び暫定調整値選出装置を提供する。【解決手段】製品個々に調整が必要な部位の最適調整値が異なる場合などに、調整工程前に設定する暫定調整値として、それまでに調整したｎ台分の最適調整値の代表値を暫定調整値として設定する。つまり、それまでに調整を行った製品の実際の調整データを、次に調整する製品の暫定調整値として反映させる。最適調整値の代表値としては、平均値、中央値、または最頻値などを用いることができる。これにより、暫定調整値の精度を向上させることができるので、良品がエラー判定されることを防止できる。【選択図】図２
2004062944.tif 000002
【特許請求の範囲】
【請求項１】
製品の調整が必要な部位に、暫定調整値を設定する設定工程、
上記設定工程で設定された暫定調整値に基づいて上記製品を動作させて、最適調整値に調整する調整工程、
次の製品に設定する暫定調整値として、それまでに調整したｎ台分の製品における最適調整値を統計処理して得られた代表値を選出する選出工程、から成る調整工程前に設定する暫定調整値の選出方法。
【請求項２】
前記製品は、光ディスク記録装置であり、前記調整が必要な部位は、フォーカスバランスである請求項１に記載の調整工程前に設定する暫定調整値の選出方法。
【請求項３】
前記製品は、光ディスク記録装置であり、前記調整が必要な部位は、トラッキングバランスである請求項１に記載の調整工程前に設定する暫定調整値の選出方法。
【請求項４】
請求項１乃至３のいずれかに記載の調整工程前に設定する暫定調整値の選出方法を実行する制御手段と、それまでに調整したｎ台分の製品における最適調整値を記憶する記憶手段と、を備えた暫定調整値選出装置。
【発明の詳細な説明】
【０００１】
【発明の属する技術分野】
この発明は、製品の調整工程前に設定する暫定調整値の精度を向上させる調整工程前に設定する暫定調整値の選出方法、及び暫定調整値選出装置に関する。
【０００２】
【従来の技術】
製品の製造工程では、製品の調整が必要な部位に、最適と思われる値である暫定調整値を設定し、この暫定調整値前後の一定範囲で値を変化させて、最適値に調整するという方法がある。例えば、光ディスク記録装置の場合、フォーカスバランス調整工程やトラッキングバランス調整工程などで、この調整方法を行っている。
【０００３】
図４は、光ディスク記録装置のフォーカスバランス調整工程の手順を説明するためのフローチャートである。従来、光ディスク記録装置のフォーカスバランス調整工程では、図４に示したような手順を行って、フォーカスバランスの最適調整値を決定していた。まず、調整装置は、光ディスク記録装置に設定するフォーカスバランスの暫定調整値をメモリから読み出す（ｓ１０１）。ここで、メモリには、この暫定調整値として、計算によって求めた値や、実験等によって得られた予測値など、固定の値が設定されている。
【０００４】
調整装置は、光ディスク記録装置に、上記のフォーカスバランスの暫定調整値を設定する（ｓ１０２）。なお、光ディスク記録装置にフォーカスバランスの暫定調整値を設定するのは、次に行うＯＰＣで記録動作を行うのにフォーカスバランスの暫定調整値の設定が不可欠だからである。
【０００５】
続いて、調整装置は、光ディスク記録装置にＯＰＣを実行させる。光ディスク記録装置は、調整装置の指示に従い、ＯＰＣを実行して最適な記録パワーを求める（ｓ１０３）。さらに、調整装置は、光ディスク記録装置にフォーカスバランスの調整を実行させる。光ディスク記録装置は、調整装置の指示に従い、フォーカスバランスの調整値を、上記暫定調整値の前後の一定範囲で、所定の値ずつ変動させて、テストデータを光ディスクに記録させる（ｓ１０４）。光ディスク記録装置は、記録が完了すると、光ディスクに記録したテストデータの記録品位を確認して、最適な記録品位が得られたフォーカスバランス調整値を最適調整値に設定して（ｓ１０５）、処理を終了する。
【０００６】
また、詳細な説明は省略するが、光ディスク記録装置のトラッキングバランス調整工程では、フォーカスバランスの調整工程と同様の手順で、トラッキングバランスの調整が行われていた。
【０００７】
【発明が解決しようとする課題】
図５は、フォーカスバランスの予測した調整値の分布と、実際の調整値（最適調整値）の分布と、を示した度数分布図である。光ディスク記録装置の製造工程において、複数台調整すると、図５に示したようなフォーカスバランス調整値の分布曲線１０３が得られる。
【０００８】
従来の調整装置では、最適調整値（実際の調整値）の分布曲線１０３の中心値をフォーカスバランスの暫定調整値として設定することができれば、分布曲線１０３内の光ディスク記録装置を、各々の最適調整値に設定することができた。
【０００９】
しかしながら、前記のように、計算や実験などにより調整値の分布を予測するので、その分布曲線１０１は、最適調整値の分布曲線１０３とずれているのが通常である。したがって、例えば、図５に示したように、予想した調整値の分布曲線１０１に対して、最適調整値の分布曲線１０３の分布が調整値の高い方にずれた場合、分布曲線１０３の斜線部１０５の範囲内は、分布曲線１０１から外れてしまう。そのため、予測した分布曲線１０１の中心値１０２を暫定調整値として設定すると、フォーカスバランスの最適調整値が斜線部１０５内にある光ディスク記録装置に対しては、ＯＰＣ工程でエラーになってしまうという問題があった。
【００１０】
そこで、本発明は、上記の問題を解決するために、製品に調整工程で設定する暫定調整値の精度を向上させて、製品がエラーとなるのを抑制する調整工程前に設定する暫定調整値の選出方法、及び暫定調整値選出装置を提供することを目的とする。
【００１１】
【課題を解決するための手段】
この発明は、上記の課題を解決するための手段として、以下の構成を備えている。
【００１２】
（１）製品の調整が必要な部位に、暫定調整値を設定する設定工程、
上記設定工程で設定された暫定調整値に基づいて上記製品を動作させて、最適調整値に調整する調整工程、
次の製品に設定する暫定調整値として、それまでに調整したｎ台分の製品における最適調整値を統計処理して得られた代表値を選出する選出工程、から成る。
【００１３】
この構成においては、調整工程前に設定する暫定調整値として、それまでに調整したｎ台分の製品における最適調整値を統計処理して得られた代表値を選出して、次の製品の調整工程前にこの代表値を暫定調整値として設定する。つまり、それまでに調整を行った製品における実際の調整データの代表値を、次に調整する製品の暫定調整値として反映させる。ここで、最適調整値を統計処理して得られた代表値とは、単純平均値、加重平均値、中央値、または最頻値などのことである。また、暫定調整値の修正方法としては、例えば、１台調整する毎に、または、複数台調整する毎に、それまでに調整を行ったｎ台の製品に設定した最適調整値の代表値を選出して、暫定調整値を修正するように設定する。ｎ台の製品とは、過去の任意の期間に調整した１台以上の製品をいう。また、所定の時期以降に調整した製品の最適調整値の代表値を選出して、暫定調整値に設定することも可能である。例えば、最近１週間に調整した製品の最適調整値の代表値を選出して暫定調整値に設定する。したがって、暫定調整値の精度を向上させることができ、良品がエラー判定されることを防止できる。
【００１４】
（２）前記製品は、光ディスク記録装置であり、前記調整が必要な部位は、フォーカスバランスである。
【００１５】
この構成においては、光ディスク記録装置のフォーカスバランスの最適調整値が個々に異なる場合、それまでに調整を行ったｎ台分の製品における実際のフォーカスバランスの最適調整値を統計処理して得られた代表値を選出して、次の光ディスク記録装置の暫定調整値として設定する。したがって、実験や計算によって予測した値ではなく、実際に調整を行った光ディスク記録装置の最適調整値の代表値に基づいて暫定調整値を選出するので、暫定調整値の精度が向上し、良品がエラー判定されることなく、フォーカスバランスを速やかに調整することができる。
【００１６】
（３）前記製品は、光ディスク記録装置であり、前記調整が必要な部位は、トラッキングバランスである。
【００１７】
この構成においては、光ディスク記録装置個々にトラッキングバランスの最適調整値が異なる場合、それまでに調整を行ったｎ台分の製品における実際のトラッキングバランスの最適調整値を統計処理して得られた代表値を選出して、次の光ディスク記録装置の暫定調整値として設定する。したがって、（２）と同様の効果を得ることができる。
【００１８】
【発明の実施の形態】
以下の説明では、本発明の一実施形態として、光ディスク記録装置にフォーカスバランスの暫定調整値を設定する暫定調整値選出装置を例に挙げて説明する。図１は、光ディスク記録装置及び暫定調整値選出装置の構成を示したブロック図である。図１に示したように、光ディスク記録装置１は、フィードモータ８、ガイドレール９、光ピックアップ１０、スピンドルモータ１１、ＲＦアンプ１２、サーボ回路１３、アドレス検出回路１４、デコーダ１５、制御部１６、エンコーダ１７、ストラテジ回路１８、レーザドライバ１９、レーザパワー制御回路２０、周波数発生器２１、エンベロープ検出回路２２、β検出回路２４、及び記憶部２５を備えている。
【００１９】
フィードモータ８は、光ピックアップ１０を光ディスクＤの半径方向に移動させるための駆動力を供給するモータである。
【００２０】
ガイドレール９は、光ピックアップ１０が光ディスクＤの半径方向に移動するように、光ピックアップ１０を支持する。
【００２１】
スピンドルモータ１１は、データを記録する対象である光ディスクＤを回転駆動するモータである。また、スピンドルモータ１１の回転軸先端部には、光ディスクＤを保持（チャッキング）するためのターンテーブルなどからなる図外の光ディスク保持機構が設けられている。
【００２２】
光ピックアップ１０は、レーザダイオード、レンズ及びミラーなどの光学系、戻り光（反射光）受光素子、フォーカスサーボ機構、トラッキングサーボ機構などを備えている。また、記録時には光ディスクＤに対してレーザ光を照射し、ピットを形成してデータを記録する。また、再生時には光ピックアップ１０は、光ディスクＤからの戻り光を受光して受光信号であるＥＦＭ変調されたＲＦ信号をＲＦアンプ１２に出力する。また、光ピックアップ１０は、モニタダイオードを備えており、レーザダイオードが出射したレーザ光の一部を受光することによってモニタダイオードに電流が生じ、この電流がレーザパワー制御回路２０へ供給されるようになっている。なお、フォーカスサーボ機構は、光ピックアップ１０のレンズと光ディスクＤのデータ記録面との距離を一定に保つためのサーボ機構である。また、トラッキングサーボ機構は、レーザ光の位置を左右に調節して、プリグルーブにレーザ光を正確に照射できるようにするためのサーボ機構である。
【００２３】
周波数発生器２１は、スピンドルモータ１１が出力した光ディスクＤの相対位置信号を検出して、光ディスクＤの回転角度や回転数を検出するための信号をサーボ回路１３に出力する。
【００２４】
ＲＦアンプ１２は、光ピックアップ１０から供給されるＥＦＭ変調されたＲＦ信号を増幅して、増幅後のＲＦ信号をサーボ回路１３、アドレス検出回路１４、エンベロープ検出回路２２、β検出回路２４、及びデコーダ１５に出力する。
【００２５】
デコーダ１５は、再生時には、ＲＦアンプ１２から供給されるＥＦＭ変調されたＲＦ信号をＥＦＭ復調して再生データを生成し、制御部１６に出力する。また、デコーダ１５は、データ記録時には、テスト記録によって記録された領域を再生する際に、ＲＦアンプ１２から供給されたＲＦ信号をＥＦＭ復調する。
【００２６】
アドレス検出回路１４は、ＲＦアンプ１２から供給されたＥＦＭ信号からウォブル信号成分を抽出し、このウォブル信号成分に含まれる各位置の時間情報（アドレス情報）、及び光ディスクＤを識別する識別情報（ディスクＩＤ）や光ディスクＤの色素などディスクの種類を示す情報を復号し、制御部１６に出力する。なお、上記のウォブル信号成分に含まれる各位置の時間情報（アドレス情報）、及び光ディスクＤを識別する識別情報（ディスクＩＤ）やディスクの色素などディスクの種類を示す情報は、ＡＴＩＰ（Ａｂｓｏｌｕｔｅ　Ｔｉｍｅ　Ｉｎ　Ｐｒｅｇｒｏｏｖｅ）情報とも称する。
【００２７】
β検出回路２４は、光ディスクＤのテスト記録領域を再生している時に、ＲＦアンプ１２から供給されるＲＦ信号から再生信号品位に関するパラメータとしてβ（アシンメトリ）を算出し、算出結果を制御部１６に出力する。ここで、βは、ＥＦＭ変調された信号波形のピークレベル（符号は＋）をａ、ボトムレベル　（符号は−）をｂとすると、β＝（ａ＋ｂ）／（ａ−ｂ）で求めることができる。
【００２８】
エンベロープ検出回路２２は、光ディスクＤへテスト記録を行う前に、光ディスクＤのテスト領域のどの部分からテスト記録を開始するかを検出するために、上述した光ディスクＤのカウント領域１１２ｂにおけるＥＦＭ信号のエンベロープを検出する。
【００２９】
サーボ回路１３は、スピンドルモータ１１の回転制御、並びに光ピックアップ１０のフォーカス制御、トラッキング制御、及びフィードモータ８による光ピックアップ１０の送り制御を行う。また、サーボ回路１３は、図示していないフォーカスサーボ回路、及びトラッキングサーボ回路を備えており、製造時には、各回路はフォーカスバランスやトラッキングバランスの調整が行われる。
【００３０】
エンコーダ１７は、メイン制御部４３から出力された記録データをＥＦＭ変調し、ストラテジ回路１８に出力する。ストラテジ回路１８は、エンコーダ１７からのＥＦＭ信号に対して時間軸補正処理などを行い、レーザドライバ１９に出力する。レーザドライバ１９は、ストラテジ回路１８から供給される記録データに応じて変調された信号と、レーザパワー制御回路２０の制御信号と、に従って光ピックアップ１０のレーザダイオードを駆動する。
【００３１】
レーザパワー制御回路２０は、光ピックアップ１０のレーザダイオードから照射されるレーザ光のパワーを制御する。具体的には、レーザパワー制御回路２０は、光ピックアップ１０のモニタダイオードから出力される電流値と、制御部１６から送信される最適なレーザパワーの目標値を示す情報と、に基づいて、最適なレーザパワーのレーザ光が光ピックアップ１０から照射されるように、レーザドライバ１９を制御する。
【００３２】
制御部１６は、ＣＰＵ、ＲＯＭ、及びＲＡＭ等から構成されており、ＲＯＭに格納されたプログラムに従って光ディスク記録装置１の各部を制御して、光ディスクにデータの記録を行う。また、光ディスクに記録されたデータの再生を行う。また、制御部１６は、セットされた記録用光ディスクの種類を判別するために、サーボの自動調整を行い、サーボ回路１３、レーザパワー制御回路２０、エンコーダ１７にそれぞれ所定の信号を出力する。これらの信号が出力されると、光ピックアップ１０は、所定の位置に移動するとともに、レーザ光を記録用光ディスクに照射して、データの記録を行う。また、光ディスクに記録されたデータの確認、再生、光ディスクの記録エラー位置の検出などを行う場合、光ピックアップ１０の受光素子は、照射光の戻り光を受光して、受光量に応じた電気信号をＲＦアンプ１２に出力する。ＲＦアンプ１２は、この信号を増幅してデコーダ１５やβ検出回路２４、アドレス検出回路１４、及びエンベロープ検出回路２２に出力する。制御部１６は、これらの回路からの信号に基づいて上記の各処理を行う。
【００３３】
記憶部２５は、フォーカスバランス調整値やトラッキングバランス調整値、実験などを行って予め求めたデータ、光ディスク記録装置１のファームウェアなどを記憶する。
【００３４】
次に、本発明の実施形態に係る暫定調整値選出装置について説明する。図１に示したように、暫定調整値選出装置４１は、入力部４２、メイン制御部４３、メイン記憶部４４、及び表示部４５を備えている。入力部４２は、暫定調整値選出装置４１に設定する暫定調整値を、１台目の光ディスク記録装置を調整する前に入力したり、他の値を入力したりするためのものである。メイン制御部４３は、暫定調整値選出装置４１の各部を制御するとともに、光ディスク記録装置１の制御部１６に信号を出力して、光ディスク記録装置１の調整動作を実行する。また、光ディスク記録装置１のエンコーダ１７に記録データを出力し、デコーダ１５から再生データを取得する。メイン記憶部４４は、光ディスク記録装置１の調整動作時に設定された値や実測値を記憶する。表示部４５は、調整工程の進行状況や調整の完了など検査者に伝達する事項を表示する。
【００３５】
本発明の暫定調整値選出装置４１は、光ディスク記録装置１の調整工程の前に暫定調整値を設定する際に、それまでに調整を行ったｎ台の光ディスク記録装置の最適調整値をメイン記憶部４４で記憶しておき、これらの最適調整値を統計処理して得られた代表値を選出する。そして、この代表値を次の製品の暫定調整値とする。例えば、フォーカスバランスを調整する場合、調整工程の前に設定する暫定調整値として、それまでに調整したｎ台の光ディスク記録装置における最適調整値の単純平均値（代表値の一例：以下、平均値と称する。）を適用する。
【００３６】
これにより、暫定調整値選出装置４１で光ディスク記録装置のフォーカスバランスを調整する際に適用される最適調整値の平均値は、最適調整値分布の中心値に近い値となる。したがって、従来のように、予測した調整値の分布と最適調整値の分布とがずれたために、エラーが発生するといった問題が解消される。また、良品がＯＰＣ工程でエラーとなることがなくなり、本当に不良である光ディスク記録装置のみがエラーとなる。
【００３７】
なお、暫定調整値選出装置４１は、光ディスク記録装置を１台調整する毎に、実際の調整値である最適調整値をフィードバックして平均値を求めるように設定できる。また、光ディスク記録装置を複数台調整してから、各光ディスク記録装置の最適調整値をまとめてフィードバックして、平均値を算出・更新することもできる。さらに、所定の時期以降に調整した装置の最適調整値の平均値を暫定調整値に設定することができる。例えば、最近１週間に調整した装置の最適調整値の平均値を暫定調整値に設定することができる。また、一定期間に調整した一定台数の平均値を求めて、フォーカスバランス調整が完了する毎に平均値を更新するように設定できる。この場合、最新データを追加したら、最も古いデータを破棄して、一定台数の平均値を求めるようにすると良い。
【００３８】
さらに、暫定調整値選出装置４１で初めて光ディスク記録装置を調整する際は、予め設定した値（計算や実験などで求めた値）を暫定調整値として付与するようにする。また、暫定調整値として設定する平均値には、上記のように１台目の光ディスク記録装置の暫定調整値とする予め設定した値を含めて演算するように設定することも、この値を含めずに演算するように設定することもできる。
【００３９】
次に、本発明の暫定調整値選出装置が光ディスク記録装置を検査する時の動作について説明する。図２は、暫定調整値選出装置の動作を説明するためのフローチャートである。以下の説明では、暫定調整値選出装置４１が光ディスク記録装置１のフォーカスバランスの調整を行う際の動作について説明する。
【００４０】
まず、暫定調整値選出装置４１のメイン制御部４３は、１台目の光ディスク記録装置のフォーカスバランス調整を行うために、暫定調整値Ｂ０をメイン記憶部４４から読み出す（ｓ１）。なお、メイン記憶部４４には、この暫定調整値Ｂ０として計算や実験等　によって求めた予測代表値が、予め設定されている。
【００４１】
暫定調整値選出装置４１のメイン制御部４３は、光ディスク記録装置１に暫定調整値Ｂ０を設定する（ｓ２）。なお、光ディスク記録装置１に、フォーカスバランスの暫定調整値を設定するのは、次に行うＯＰＣで記録動作を行うために、フォーカスバランスの暫定調整値を設定しておく必要があるからである。
【００４２】
メイン制御部４３は、光ディスク記録装置１にＯＰＣを実行させる。光ディスク記録装置１の制御部１６は、暫定調整値選出装置４１の指示に従ってＯＰＣを実行して、最適な記録パワーを求める（ｓ３）。続いて、暫定調整値選出装置４１は、光ディスク記録装置１にフォーカスバランス調整を実行させる。光ディスク記録装置１の制御部１６は、暫定調整値選出装置４１からの指示に従い、光ディスク記録装置１の各部を制御して、ｓ３で求めた最適な記録パワーにして、ｓ２で設定されたフォーカスバランスの暫定調整値の前後の一定の範囲で、値を所定の値ずつ変動させて、テストデータを光ディスクに記録させる（ｓ４）。１台目の光ディスク記録装置１は、テストデータの記録が完了すると、光ディスクに記録したテストデータの記録品位を確認して、最適な記録品位が得られたフォーカスバランス調整値（最適調整値）Ｂ１を、実際のフォーカスバランス調整値として設定するとともに（ｓ５）、この最適調整値Ｂ１を暫定調整値選出装置４１に出力する。暫定調整値選出装置４１のメイン制御部４３は、メイン記憶部４４に最適調整値Ｂ１を　保存する（ｓ６）。そして、メイン制御部４３は、光ディスク記録装置のフォーカスバランス調整が完了したことを表示部４５に表示して待機する（ｓ７）。メイン制御部４３は、検査者によって入力部４２から調整終了の入力があると（ｓ８）、暫定調整値調整の処理を終了する。一方、メイン制御部４３は、検査者によって次の光ディスク記録装置がセットされたら、ｓ１以降の処理を行う。なお、ｓ５の動作は、光ディスク記録装置１がテストデータの記録品位を確認するための測定データを暫定調整値選出装置４１へ渡し、メイン制御部４３にてフォーカスバランスの最適調整値Ｂ１を設定するようにしても良い。
【００４３】
暫定調整値選出装置４１のメイン制御部４３は、２台目の光ディスク記録装置１のフォーカスバランス調整を行うために、フォーカスバランスの暫定調整値Ｂ０と、１台目の光ディスク記録装置１のフォーカスバランスの最適調整値Ｂ１と、を記憶部４４から読み出して、これらの値の平均値を求めて、フォーカスバランス暫定調整値をこの平均値に更新する。２台目の光ディスク記録装置１は、１台目の光ディスク記録装置１と同様に、ｓ２〜ｓ４の各工程を実行して、最適調整値を実際のフォーカスバランス調整値として設定するとともに（ｓ５）、この最適調整値Ｂ２を暫定調整値選出装置４１に出力する。暫定調整値選出装置４１は、記憶部４４に最適調整値Ｂ２を保存する（ｓ６）。そして、メイン制御部４３は、光ディスク記録装置のフォーカスバランス調整が終了したことを表示部４５に表示して待機する（ｓ７）。メイン制御部４３は、検査者によって次の光ディスク記録装置がセットされたら（ｓ８）、ｓ１以降の処理を行う。
【００４４】
暫定調整値選出装置４１のメイン制御部４３は、３台目の光ディスク記録装置のフォーカスバランス調整を行うために、フォーカスバランス暫定調整値Ｂ０と、１台目の光ディスク記録装置１のフォーカスバランスの実際の調整値Ｂ１と、２台目の光ディスク記録装置１のフォーカスバランスの実際の調整値Ｂ２と、を記憶部４４から読み出す。そして、これら値の平均値を求めて、フォーカスバランス暫定調整値をこの平均値に更新する。そして、３台目の光ディスク記録装置１は、１台目の光ディスク記録装置１と同様に、ｓ２〜ｓ４の各工程を実行して、実際のフォーカスバランス調整値として設定するとともに（ｓ５）、この最適調整値Ｂ２を暫定調整値選出装置４１に出力する。暫定調整値選出装置４１は、記憶部４４に最適調整値Ｂ２を保存する（ｓ６）。そして、メイン制御部４３は、光ディスク記録装置のフォーカスバランス調整が終了したことを表示部４５に表示して待機する（ｓ７）。メイン制御部４３は、検査者によって次の光ディスク記録装置がセットされたら（ｓ８）、ｓ１以降の処理を行う。
【００４５】
このようにして、暫定調整値選出装置４１は、光ディスク記録装置の検査を行う毎に、フォーカスバランスの最適調整値Ｂｉをメイン記憶部４４に保存し、それまでに記憶した各光ディスク記録装置の実際のフォーカスバランス調整値及び最初に設定されたフォーカスバランス調整値Ｂ０の平均値を、次の光ディスク記録装置のフォーカスバランス暫定調整値として設定する。したがって、光ディスク記録装置１のフォーカスバランス暫定調整値は、
【００４６】
【数１】
2004062944.tif 000003
【００４７】
となる。
【００４８】
このように、本発明の暫定調整値選出装置４１は、光ディスク記録装置１の調整を行う毎に、それまでに調整した光ディスク記録装置の最適調整値を統計処理して得られた代表値に基づいてフォーカスバランスの暫定調整値を修正するので、調整結果を反映した暫定調整値に基づいて光ディスク記録装置１の調整を行うことができる。したがって、フォーカスバランスの暫定調整値は、検査数が増えるほど最適調整値の分布曲線の代表値に近い値となるため、ＯＰＣ工程でエラーになる光ディスク記録装置の発生を抑制できる。
【００４９】
また、光ディスク記録装置では、トラッキングバランスを調整する際にも、フォーカスバランスの調整方法と同様の工程を行うことで、トラッキングバランスを最適調整値に調整でき、これによりエラー発生を防止できる。
【００５０】
なお、本発明の暫定調整値選出装置は、光ディスク記録装置用のものに限るものではなく、製品の調整部位を、最適調整値と思われる暫定調整値に設定する仮設定工程を実行する調整装置に適用することができる。
【００５１】
また、上記の説明では、最適調整値を統計処理して得られた代表値として単純平均値を用いた場合に付いて説明したが、本発明は、これに限るものではない。すなわち、最適調整値を統計処理して得られた代表値としては、より新しい製品の最適調整値に対する重みを大きくして平均化した加重平均値、最小値と最大値との中央の値である中央値、度数分布をとった場合に最も度数の多い値である最頻値などを用いることができる。
【００５２】
さらに、暫定調整値選出装置の構成は、図１に示したものに限るものではない。図３は、暫定調整値選出装置の別の構成図である。例えば、図３に示したように、光ディスク記録装置のフォーカスバランスを調整するための複数の暫定調整値選出装置４１と、各暫定調整値選出装置４１から送られてきたフォーカスバランスの最適調整値を集計して平均値を求めて、各暫定調整値選出装置４１に平均値を配信する集計装置５１と、によって構成されていても良い。これにより、複数の光ディスク記録装置を同時に検査する場合でも、フォーカスバランスの暫定調整値を最適値に基づいて随時更新することができる。
【００５３】
【発明の効果】
本発明によれば、以下のような効果を得ることができる。
【００５４】
（１）調整工程前に設定する暫定調整値として、それまでに調整したｎ台分の最適調整値の代表値を選出して、次の製品の調整工程前にこの代表値を暫定調整値として設定することにより、暫定調整値の精度を向上させることができるので、製品の調整工程ですべての製品を調整することが可能となり、良品がエラー判定されることを防止できる。
【００５５】
（２）実験や計算によって予測した値ではなく、実際に調整を行った光ディスク記録装置の最適調整値に基づいてフォーカスバランスやトラッキングバランス暫定調整値を修正するので、暫定調整値の精度が向上し、良品がエラー判定されることなく、フォーカスバランスやトラッキングバランスを速やかに調整することができる。
【図面の簡単な説明】
【図１】光ディスク記録装置及び暫定調整値選出装置の構成を示したブロック図である。
【図２】暫定調整値選出装置の動作を説明するためのフローチャートである。
【図３】暫定調整値選出装置の別の構成図である。
を説明するためのフローチャートである。
【図４】光ディスク記録装置のフォーカスバランス調整工程の手順を説明するためのフローチャートである。
【図５】フォーカスバランスの予測した調整値の分布と、実際の調整値（最適調整値）の分布と、を示した度数分布図である。
【符号の説明】
１−光ディスク記録装置
１０−光ピックアップ
１６−制御部
４１−暫定調整値選出装置
４２−入力部
４３−制御部
４４−記憶部
４５−表示部
【図１】
2004062944.tif 000004
【図２】
2004062944.tif 000005
【図３】
2004062944.tif 000006
【図４】
2004062944.tif 000007
【図５】
2004062944.tif 000008